(57)【要約】【課題】この発明は、例えば負変調及び正変調の放送方式について、それぞれ放送チャンネルを自動的に検索してプリセットする際に、放送チャンネルの検索に要する時間を短縮することを可能とした放送受信装置及び放送受信方法を提供することを目的としている。【解決手段】受信チャンネルを段階的に順次可変し、各受信チャンネル毎にそれぞれ正変調方式で変調処理された放送信号を検出し、放送信号の検出された受信チャンネルを登録する。その後、受信チャンネルを段階的に順次可変し、各受信チャンネル毎にそれぞれ負変調方式で変調処理された放送信号を検出し、放送信号の検出された受信チャンネルを登録する。その際、先に登録された受信チャンネルと重複する受信チャンネルについては、放送信号の検出を行なわないように制御する。【選択図】　　図２
2004104592.tif 000002
【特許請求の範囲】
【請求項１】
受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のプリセット手段と、
受信チャンネルを段階的に順次可変し、各受信チャンネル毎にそれぞれ第２の変調方式で変調処理された放送信号を検出し、該第２の変調方式で変調処理された放送信号が検出された受信チャンネルを登録するもので、前記第１のプリセット手段で登録された受信チャンネルと重複する受信チャンネルについては、放送信号の検出を行なわないように制御する第２のプリセット手段とを具備してなることを特徴とする放送受信装置。
【請求項２】
受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のプリセット手段と、
受信チャンネルを段階的に順次可変し、各受信チャンネル毎にそれぞれ第２の変調方式で変調処理された放送信号を検出し、該第２の変調方式で変調処理された放送信号が検出された受信チャンネルを登録する第２のプリセット手段と、
前記第１及び第２のプリセット手段のうち、後から実行される方のプリセット手段に対して、先に実行された方のプリセット手段で登録された受信チャンネルと重複する受信チャンネルについては、放送信号の検出を行なわないように制御する制御手段とを具備してなることを特徴とする放送受信装置。
【請求項３】
前記制御手段は、後から実行される方のプリセット手段で現在受信している受信チャンネルが、先に実行された方のプリセット手段で既に登録された受信チャンネルと重複する場合、その受信チャンネルについては放送信号の検出を行なわず、次の受信チャンネルに移行することを特徴とする請求項２記載の放送受信装置。
【請求項４】
前記制御手段は、
後から実行される方のプリセット手段で現在受信している受信チャンネルが、先に実行された方のプリセット手段で既に登録された受信チャンネルと重複することを検出する検出手段と、
この検出手段で検出された受信チャンネルについては、放送信号の検出を行なわず、次の受信チャンネルに移行させるチャンネル制御手段とを具備してなることを特徴とする請求項２記載の放送受信装置。
【請求項５】
前記第１のプリセット手段は、受信された放送信号に前記第１の変調方式に対応した復調処理を施した信号と、この復調された信号に含まれる同期信号とに基づいて、受信された放送信号が前記第１の変調方式で変調処理された放送信号であるか否かを判別し、
前記第２のプリセット手段は、受信された放送信号に前記第２の変調方式に対応した復調処理を施した信号と、この復調された信号に含まれる同期信号とに基づいて、受信された放送信号が前記第２の変調方式で変調処理された放送信号であるか否かを判別することを特徴とする請求項２記載の放送受信装置。
【請求項６】
前記第１のプリセット手段は、
受信された放送信号に前記第１の変調方式に対応した復調処理を施す第１の復調手段と、
この第１の復調手段で復調処理された信号から同期信号を検出する第１の同期検出手段と、
この第１の同期検出手段の検出結果と、前記第１の復調手段で復調処理された信号とに基づいて、受信された放送信号が前記第１の変調方式で変調処理された放送信号であるか否かを判別する第１の判別手段とを具備し、
前記第２のプリセット手段は、
受信された放送信号に前記第２の変調方式に対応した復調処理を施す第２の復調手段と、
この第２の復調手段で復調処理された信号から同期信号を検出する第２の同期検出手段と、
この第２の同期検出手段の検出結果と、前記第２の復調手段で復調処理された信号とに基づいて、受信された放送信号が前記第２の変調方式で変調処理された放送信号であるか否かを判別する第２の判別手段とを具備してなることを特徴とする請求項２記載の放送受信装置。
【請求項７】
所定の受信チャンネルで受信した放送信号に含まれる情報に対応した信号を記録する記録手段を具備してなることを特徴とする請求項２記載の放送受信装置。
【請求項８】
受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のプリセット手段と、
受信チャンネルを段階的に順次可変し、各受信チャンネル毎にそれぞれ第２の変調方式で変調処理された放送信号を検出し、該第２の変調方式で変調処理された放送信号が検出された受信チャンネルを登録する第２のプリセット手段と、
前記第１及び第２のプリセット手段のうち、後から実行される方のプリセット手段に対して、先に実行された方のプリセット手段で登録された受信チャンネルと重複する受信チャンネルについては、放送信号の検出を行なわないように制御する制御手段と、
前記第１及び第２のプリセット手段のうち、いずれを先に実行させるかを設定する操作手段とを具備してなることを特徴とする放送受信装置。
【請求項９】
前記操作手段は、地域を選択する形態で設けられることを特徴とする請求項８記載の放送受信装置。
【請求項１０】
前記操作手段は、変調方式を選択する形態で設けられることを特徴とする請求項８記載の放送受信装置。
【請求項１１】
受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のプリセット手段と、
受信チャンネルを段階的に順次可変し、各受信チャンネル毎にそれぞれ第２の変調方式で変調処理された放送信号を検出し、該第２の変調方式で変調処理された放送信号が検出された受信チャンネルを登録する第２のプリセット手段と、
前記第１及び第２のプリセット手段のうち、後から実行される方のプリセット手段に対して、先に実行された方のプリセット手段で登録された受信チャンネルと重複する受信チャンネルについては、放送信号の検出を行なわないように制御する制御手段と、
全ての放送信号が同一変調方式で変調処理されている周波数帯域が存在する場合に、前記第１及び第２のプリセット手段のうち、その変調方式に対応しない放送信号を検出する方のプリセット手段に対して、前記周波数帯域を飛び越すように受信チャンネルを制御するチャンネル制御手段とを具備してなることを特徴とする放送受信装置。
【請求項１２】
前記全ての放送信号が同一変調方式で変調処理されている周波数帯域は、ケーブル放送の周波数帯域であることを特徴とする請求項１１記載の放送受信装置。
【請求項１３】
受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のステップと、
この第１のステップの後、受信チャンネルを段階的に順次可変し、各受信チャンネル毎にそれぞれ第２の変調方式で変調処理された放送信号を検出し、該第２の変調方式で変調処理された放送信号が検出された受信チャンネルを登録するもので、前記第１のステップで登録された受信チャンネルと重複する受信チャンネルについては、放送信号の検出を行なわないように制御する第２のステップとを有することを特徴とする放送受信方法。
【請求項１４】
前記第２のステップは、
現在受信している受信チャンネルが、前記第１のステップで既に登録された受信チャンネルと重複することを検出する検出ステップと、
この検出ステップで検出された受信チャンネルについては、放送信号の検出を行なわず、次の受信チャンネルに移行させるチャンネル制御ステップとを有することを特徴とする請求項１３記載の放送受信方法。
【請求項１５】
前記第１のステップは、
受信された放送信号に前記第１の変調方式に対応した復調処理を施す第１の復調ステップと、
この第１の復調ステップで復調処理された信号から同期信号を検出する第１の同期検出ステップと、
この第１の同期検出ステップの検出結果と、前記第１の復調ステップで復調処理された信号とに基づいて、受信された放送信号が前記第１の変調方式で変調処理された放送信号であるか否かを判別する第１の判別ステップとを有し、
前記第２のステップは、
受信された放送信号に前記第２の変調方式に対応した復調処理を施す第２の復調ステップと、
この第２の復調ステップで復調処理された信号から同期信号を検出する第２の同期検出ステップと、
この第２の同期検出ステップの検出結果と、前記第２の復調ステップで復調処理された信号とに基づいて、受信された放送信号が前記第２の変調方式で変調処理された放送信号であるか否かを判別する第２の判別ステップとを有することを特徴とする請求項１３記載の放送受信方法。
【請求項１６】
所定の受信チャンネルで受信した放送信号に含まれる情報に対応した信号を記録する記録ステップを有することを特徴とする請求項１３記載の放送受信方法。
【発明の詳細な説明】
【０００１】
【発明の属する技術分野】
この発明は、例えばテレビジョン放送等を受信する放送受信装置及び放送受信方法に係り、特にその多数の放送チャンネルを自動的に検索してプリセットする機能を改良したものに関する。
【０００２】
【従来の技術】
周知のように、現在のテレビジョン放送受信機においては、放送チャンネルをプリセットする手段として、多数の放送チャンネルを自動的に検索してプリセットする、いわゆるオートチャンネルプリセット機能を備えている。
【０００３】
このオートチャンネルプリセット機能は、受信周波数を低い周波数から高い周波数に向けて所定の間隔で段階的に順次可変し、各受信周波数においてテレビジョン信号を正しく受信することができたか否かをそれぞれ検出する。
【０００４】
そして、テレビジョン信号を正しく受信することができた受信周波数については、例えば、その放送局に付されたチャンネル番号等と対応させて、不揮発性のメモリに順次登録していくものである。
【０００５】
ところで、テレビジョン放送において、その放送方式、つまり、放送されるテレビジョン信号の周波数帯域、標準方式及び変調方式等は、国や地域によって大きく異なっている。
【０００６】
例えば、欧州地域では、テレビジョン信号に負変調処理を施して放送する方式（Ｂ／Ｇ、Ｉ、Ｄ／Ｋシステム）と、テレビジョン信号に正変調処理を施して放送する方式（Ｌシステム）とがある。
【０００７】
そして、現状のオートチャンネルプリセット手段では、まず、一方の方式について、受信周波数を所定の間隔で段階的に可変させて、テレビジョン信号を正しく受信することができる放送チャンネルを検索し、メモリに登録する。
【０００８】
その後、他方の方式についても、受信周波数を所定の間隔で段階的に可変させて、テレビジョン信号を正しく受信することができる放送チャンネルを検索し、メモリに登録している。
【０００９】
しかしながら、このような現状のオートチャンネルプリセット手段では、負変調方式と正変調方式との両方の変調方式について、それぞれ同じ検索動作を繰り返し行なっている。
【００１０】
すなわち、現状では、オートチャンネルプリセットの開始から終了までにかかる時間が、一方の変調方式に対するオートチャンネルプリセットに要する時間を単純に２倍したものとなっており、時間の短縮が望まれている。
【００１１】
ここで、特許文献１として提示する特開平７−２１２６６５号公報では、複数の国や地域毎に、それぞれ、そこに存在する放送局の放送データを、予めメモリ記憶させている。
【００１２】
そして、ユーザが、国や地域を特定する識別データを入力した場合に、その識別データに対応した放送データをメモリから読み出してプリセットすることにより、プリセット作業の簡易化を図ることが開示されている。
【００１３】
しかしながら、この公開公報に示された構成では、国や地域毎に放送局の放送データを予めメモリに記憶させておく構成であるため、放送局の増減や方式の変更等があると、その都度、放送データを更新する必要が生じる。
【００１４】
【特許文献１】
特開平７−２１２６６５号公報
【００１５】
【発明が解決しようとする課題】
そこで、この発明は上記事情を考慮してなされたもので、例えば負変調及び正変調の放送方式について、それぞれ放送チャンネルを自動的に検索してプリセットする際に、放送チャンネルの検索に要する時間を短縮することを可能とした放送受信装置及び放送受信方法を提供することを目的とする。
【００１６】
【課題を解決するための手段】
この発明に係る放送受信装置は、受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のプリセット手段と、
受信チャンネルを段階的に順次可変し、各受信チャンネル毎にそれぞれ第２の変調方式で変調処理された放送信号を検出し、該第２の変調方式で変調処理された放送信号が検出された受信チャンネルを登録するもので、第１のプリセット手段で登録された受信チャンネルと重複する受信チャンネルについては、放送信号の検出を行なわないように制御する第２のプリセット手段とを備えている。
【００１７】
この発明に係る放送受信方法は、受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のステップと、
この第１のステップの後、受信チャンネルを段階的に順次可変し、各受信チャンネル毎にそれぞれ第２の変調方式で変調処理された放送信号を検出し、該第２の変調方式で変調処理された放送信号が検出された受信チャンネルを登録するもので、第１のステップで登録された受信チャンネルと重複する受信チャンネルについては、放送信号の検出を行なわないように制御する第２のステップとを有している。
【００１８】
上記のような構成及び方法によれば、各受信チャンネル毎にそれぞれ第１の変調方式で変調処理された放送信号を検出して登録した後、各受信チャンネル毎にそれぞれ第２の変調方式で変調処理された放送信号を検出して登録する際に、既に登録された受信チャンネルと重複する受信チャンネルについては、放送信号の検出を行なわないようにしたので、例えば負変調及び正変調の放送方式について、それぞれ放送チャンネルを自動的に検索してプリセットする際に、放送チャンネルの検索に要する時間を短縮することを可能とすることができる。
【００１９】
【発明の実施の形態】
以下、この発明の実施の形態について図面を参照して詳細に説明する。まず、図１は、この実施の形態で説明するテレビジョン放送受信機１１の外観を示している。
【００２０】
このテレビジョン放送受信機１１は、略箱状に形成された筐体１２の前面部１３に、映像表示画面１４と、電源スイッチや各種のキーで構成された操作部１５とを配置している。
【００２１】
また、このテレビジョン放送受信機１１は、操作部１５の操作情報を受けるだけでなく、ワイヤレスのリモートコントローラ１６からの操作情報も受けて、その動作を制御している。
【００２２】
図２は、このテレビジョン放送受信機１１の信号処理系の詳細を示している。まず、図２において、符号１７は、テレビジョン放送電波を受信するアンテナである。
【００２３】
このアンテナ１７に誘起されたテレビジョン信号は、ＰＬＬ（Ｐｈａｓｅ　Ｌｏｃｋｅｄ　Ｌｏｏｐ）周波数シンセサイザ方式のチューナ部１８に供給されて、所望の放送チャンネルの信号が選局される。
【００２４】
この場合、チューナ部１８では、受信したテレビジョン信号と、局部発振信号とを混合することにより、ＰＩＦ（Ｐｉｃｔｕｒｅ　Ｉｎｔｅｒｍｅｄｉａｔｅ　Ｆｒｅｑｕｅｎｃｙ）信号とＳＩＦ（Ｓｏｕｎｄ　Ｉｎｔｅｒｍｅｄｉａｔｅ　Ｆｒｅｑｕｅｎｃｙ）信号とを生成している。
【００２５】
このうち、ＰＩＦ信号は、ＰＩＦ復調部１９によりベースバンドの映像信号に復調され、映像処理部２０により映像表示のための信号処理が施された後、ＣＲＴ（Ｃａｔｈｏｄｅ　Ｒａｙ　Ｔｕｂｅ）部２１で上記映像表示画面１４に映像表示される。
【００２６】
また、ＳＩＦ信号は、ＳＩＦ復調部２２に供給されて音声信号に復調され、音声処理部２３により音声再生のための信号処理が施された後、スピーカ部２４で音声再生される。
【００２７】
上記したテレビジョン信号の一連の再生動作は、ＣＰＵ（Ｃｅｎｔｒａｌ　ＰｒｏｃｅｓｓｉｎｇＵｎｉｔ）２５によって統括的に制御されている。このＣＰＵ２５は、上記操作部１５から得られる操作情報、または、上記リモートコントローラ１６から受信部２６を介して得られる操作情報を受けて、ユーザの要求する動作状態が実現されるように、各部１８〜２０，２２，２３を制御している。
【００２８】
この場合、ＣＰＵ２５は、ＲＯＭ（Ｒｅａｄ　Ｏｎｌｙ　Ｍｅｍｏｒｙ）２７に格納された制御プログラムや、不揮発性のＲＡＭ（Ｒａｎｄｏｍ　Ａｃｃｅｓｓ　Ｍｅｍｏｒｙ）２８に記録された各種の設定値等に基づいて、また、ＲＡＭ２８をワークエリアとして、各部１８〜２０，２２，２３の制御を行なっている。
【００２９】
ここで、上記ＰＩＦ復調部１９は、入力されたＰＩＦ信号に基づいて、放送チャンネルを自動検索するために利用されるＡＦＴ（Ａｕｔｏｍａｔｉｃ　Ｆｉｎｅ　Ｔｕｎｉｎｇ）信号を生成し、ＣＰＵ２５に出力している。
【００３０】
また、このＰＩＦ復調部１９から出力されたベースバンドの映像信号は、同期検出部２９に供給されて同期信号が検出される。そして、この同期検出部２９から出力される同期検出信号は、ＣＰＵ２５に出力されている。
【００３１】
図３及び図４は、上記のような構成となされたテレビジョン放送受信機１１において、そのオートチャンネルプリセット動作をまとめたフローチャートを示している。
【００３２】
まず、ステップＳ１１で、オートチャンネルプリセット動作の開始が要求されると、ＣＰＵ２５は、ステップＳ１２で、ＰＩＦ復調部１９を正変調処理が施されたテレビジョン信号を復調するモードに設定する。
【００３３】
そして、ＣＰＵ２５は、ステップＳ１３で、ＲＡＭ２８内のプリセットデータを格納する領域のポジションＰＯＳを１とし、ステップＳ１４で、受信チャンネルＣＨを最も低い周波数であるＣＨｍｉｎに設定する。
【００３４】
その後、ＣＰＵ２５は、ステップＳ１５で、現在設定されている受信チャンネルＣＨでの放送チャンネルの検索を開始し、ステップＳ１６で、ＡＦＴ信号と同期検出信号とが共に検出されたか否かを判別する。
【００３５】
そして、ＡＦＴ信号と同期検出信号とが共に検出された場合（ＹＥＳ）、ＣＰＵ２５は、正変調処理の施されたテレビジョン信号を正しく再生することができたと判断し、ステップＳ１７で、現在の受信チャンネルＣＨを放送チャンネルと対応させて、ＲＡＭ２８の現在設定されているポジションＰＯＳに格納する。
【００３６】
その後、ＣＰＵ２５は、ステップＳ１８で、現在のポジションＰＯＳに１を加算し、ステップＳ１９で、ポジションＰＯＳが最大値ｍａｘを超えたか否かを判別し、超えた場合（ＹＥＳ）、処理を終了（ステップＳ２０）する。
【００３７】
また、上記ステップＳ１６でＡＦＴ信号と同期検出信号とが共に検出されない場合（ＮＯ）、または、上記ステップＳ１９でポジションＰＯＳが最大値ｍａｘ以下である場合（ＮＯ）、ＣＰＵ２５は、ステップＳ２１で、現在の受信チャンネルＣＨに１を加算して、現在よりも一定周波数だけ高い受信周波数に設定する。
【００３８】
そして、ＣＰＵ２５は、ステップＳ２２で、受信チャンネルＣＨが最大値ｍａｘを超えたか否かを判別し、受信チャンネルＣＨが最大値ｍａｘ以下である場合（ＮＯ）、ステップＳ１５の処理に戻される。
【００３９】
また、ステップＳ２２で受信チャンネルＣＨが最大値ｍａｘを超えた場合（ＹＥＳ）、ＣＰＵ２５は、ステップＳ２３で、ＰＩＦ復調部１９を負変調処理が施されたテレビジョン信号を復調するモードに設定する。
【００４０】
その後、ＣＰＵ２５は、ステップＳ２４で、受信チャンネルＣＨを最も低い周波数であるＣＨｍｉｎに設定し、ステップＳ２５で、現在設定されている受信チャンネルＣＨが、既にＲＡＭ２８に格納されている受信チャンネルＣＨと重複するか否かを判別する。
【００４１】
そして、ＲＡＭ２８に既に格納されている受信チャンネルＣＨと重複する場合（ＹＥＳ）、ＣＰＵ２５は、ステップＳ２６で、現在の受信チャンネルＣＨに１を加算して、現在よりも一定周波数だけ高い受信周波数に設定し、ステップＳ２５の処理に戻される。
【００４２】
また、ステップＳ２５で、現在設定されている受信チャンネルＣＨがＲＡＭ２８に格納されている受信チャンネルと重複しない場合（ＮＯ）、ＣＰＵ２５は、ステップＳ２７で、現在設定されている受信チャンネルＣＨでの放送チャンネルの検索を開始する。
【００４３】
そして、ＣＰＵ２５は、ステップＳ２８で、ＡＦＴ信号と同期検出信号とが共に検出されたか否かを判別し、共に検出されない場合（ＮＯ）、ステップＳ２６の処理に移行する。
【００４４】
また、ステップＳ２８で、ＡＦＴ信号と同期検出信号とが共に検出された場合（ＹＥＳ）、ＣＰＵ２５は、ステップＳ２９で、現在の受信チャンネルＣＨを放送チャンネルと対応させて、ＲＡＭ２８の現在設定されているポジションＰＯＳに格納する。
【００４５】
その後、ＣＰＵ２５は、ステップＳ３０で、現在のポジションＰＯＳに１を加算し、ステップＳ３１で、ポジションＰＯＳが最大値ｍａｘを超えたか否かを判別する。そして、超えない場合（ＮＯ）、ステップＳ２６の処理に移行し、超えた場合（ＹＥＳ）、処理を終了（ステップＳ３２）する。
【００４６】
図５は、上記したオートチャンネルプリセット動作の特徴点を簡便に例示している。すなわち、図５（ａ）に示すように、２種類の周波数帯域Ａ，Ｂがあり、周波数帯域Ａには、図５（ｂ）に示すように、正変調方式による複数の放送チャンネルＡ１，Ａ２，……，Ａｎが存在し、周波数帯域Ｂには、図５（ｃ）に示すように、負変調方式による複数の放送チャンネルＢ１，Ｂ２，……，Ｂｍが存在しているものとする。
【００４７】
そして、まず、ＰＩＦ復調部１９を正変調処理が施されたテレビジョン信号を復調するモードに設定し、図５（ｄ）に示すように、低い周波数から高い周波数に向けて段階的に受信チャンネルＣＨを順次変更して、放送チャンネルの検索を開始する。
【００４８】
すると、周波数帯域Ａでは、放送チャンネルＡ１，Ａ２，……，Ａｎの存在する受信チャンネルＣＨにおいて、ＡＦＴ信号と同期検出信号とを共に検出することができる。このため、放送チャンネルＡ１，Ａ２，……，Ａｎの存在する受信チャンネルＣＨが、テレビジョン信号を正しく再生することができた受信チャンネルＣＨとして、図５（ｄ）に○印で示すように、プリセットに供される。
【００４９】
また、周波数帯域Ｂでは、放送チャンネルＢ１，Ｂ２，……，Ｂｍの存在する受信チャンネルＣＨにおいて、ＡＦＴ信号は検出されるが同期検出信号が検出されない。このため、放送チャンネルＢ１，Ｂ２，……，Ｂｍの存在する受信チャンネルＣＨは、テレビジョン信号を正しく再生することができない受信チャンネルＣＨと判断され、図５（ｄ）に×印で示すように、プリセットされないように制御される。
【００５０】
次に、ＰＩＦ復調部１９を負変調処理が施されたテレビジョン信号を復調するモードに切り替え、図５（ｅ）に示すように、低い周波数から高い周波数に向けて段階的に受信チャンネルＣＨを順次変更して、放送チャンネルの検索を開始する。
【００５１】
すると、周波数帯域Ａでは、放送チャンネルＡ１，Ａ２，……，Ａｎの存在する受信チャンネルＣＨが既にプリセットされている。このため、放送チャンネルＡ１，Ａ２，……，Ａｎの存在する受信チャンネルＣＨと重複する受信チャンネルＣＨにおいては、ＡＦＴ信号と同期検出信号との検出動作を行なわず、無条件に次の受信チャンネルＣＨに移行することになる。
【００５２】
そして、周波数帯域Ｂでは、放送チャンネルＢ１，Ｂ２，……，Ｂｍの存在する受信チャンネルＣＨで、ＡＦＴ信号と同期検出信号とを共に検出することができる。このため、放送チャンネルＢ１，Ｂ２，……，Ｂｍの存在する受信チャンネルＣＨが、テレビジョン信号を正しく再生することができた受信チャンネルＣＨとして、図５（ｅ）に○印で示すように、プリセットに供される。
【００５３】
上記した実施の形態によれば、正変調処理が施されたテレビジョン信号を復調するモードで、既にプリセットが完了された放送チャンネルＡ１，Ａ２，……，Ａｎと重複する受信チャンネルＣＨについては、負変調処理が施されたテレビジョン信号を復調するモードにおいて、ＡＦＴ信号と同期検出信号との検出動作を行なわない、つまり、テレビジョン信号を正しく再生することができるか否かの判別動作を行なわないようにしている。
【００５４】
すなわち、正変調処理が施されたテレビジョン信号を復調するモードで、既にプリセットが完了している放送チャンネルＡ１，Ａ２，……，Ａｎと重複する受信チャンネルＣＨについては、負変調処理が施されたテレビジョン信号を復調するモードでは、ＡＦＴ信号を検出し、同期信号の引き込み動作を行ない、同期信号が得られるか否かを判別するという一連の検出動作を行なわないようにしているので、その分、放送チャンネルの検索に要する時間を短縮することが可能となる。
【００５５】
また、上記した実施の形態では、まず、正変調処理が施されたテレビジョン信号を復調するモードで放送チャンネルの検索を行ない、その後、負変調処理が施されたテレビジョン信号を復調するモードで放送チャンネルの検索を行なうようにしている。
【００５６】
しかしながら、このような順序に限らず、まず、負変調処理が施されたテレビジョン信号を復調するモードで放送チャンネルの検索を行ない、その後、正変調処理が施されたテレビジョン信号を復調するモードで放送チャンネルの検索を行なうようにしてもよいことはもちろんである。
【００５７】
さらに、いずれの復調モードでの放送チャンネルの検索を先に行なうかをユーザに選択させるためのスイッチを、操作部１５及びリモートコントローラ１６の少なくとも一方に設置することも考えられる。
【００５８】
このようにすれば、ユーザが自己の存在する国や地域に応じて、より多くの放送チャンネルが存在する方の変調方式に対応する復調モードを先に選択して、放送チャンネルの検索を開始することが可能となり、放送チャンネルの検索に要する時間をより一層短縮することができる。
【００５９】
この場合、その復調モードを選択するスイッチとしては、ユーザに国や地域を選択させる形態であっても、ユーザに変調方式を選択させる形態であっても良いものである。
【００６０】
また、オートチャンネルプリセットとしては、テレビジョン放送受信機１１の電源スイッチが投入されたことに連動して自動的に開始される形態であっても、操作部１５及びリモートコントローラ１６の少なくとも一方に設置された特定のキーを、ユーザが操作することによって開始される形態であっても良いものである。
【００６１】
ここで、テレビジョン放送受信機１１が受信する放送チャンネルとして、ケーブルテレビジョン放送の放送チャンネルが含まれている場合もある。このケーブルテレビジョン放送においては、各放送チャンネルのテレビジョン信号は、全て同一の変調方式で変調されて送信されている。
【００６２】
このため、ケーブルテレビジョン放送に対応していない変調方式に対する復調モードでの放送チャンネルの検索時には、ケーブルテレビジョン放送の放送周波数帯域を飛び越すように受信チャンネルＣＨを制御することができ、放送チャンネルの検索時間の短縮化に効果的である。
【００６３】
図６は、テレビジョン放送受信機１１が受信する放送チャンネルとして、ケーブルテレビジョン放送の放送チャンネルが含まれている場合の、オートチャンネルプリセット動作の他の例を説明するフローチャートを示している。
【００６４】
図６に示すフローチャートは、図３で説明したステップＳ１７の処理を変更したものである。前提条件として、ケーブルテレビジョン放送における全ての放送チャンネルを示すデータが、予めＲＡＭ２８に記録されているものとする。
【００６５】
すなわち、上記ステップＳ１６でＡＦＴ信号と同期検出信号とが共に検出されることによって開始（ステップＳ１７ａ）されると、ＣＰＵ２５は、ステップＳ１７ｂで、現在の受信チャンネルＣＨをＲＡＭ２８にプリセットする。
【００６６】
その後、ＣＰＵ２５は、ステップＳ１７ｃで、ケーブルテレビジョン放送の放送チャンネルであれば、そのケーブルテレビジョン放送の全ての放送チャンネルをプリセットし、ステップＳ１７ｄで、ステップＳ１８の処理に戻される。
【００６７】
また、上記した実施の形態では、この発明をテレビジョン放送受信機１１に適用した例について説明したが、これに限らず、この発明は、例えば、図７に示すような、ＤＶＤ（Ｄｉｇｉｔａｌ　Ｖｅｒｓａｔｉｌｅ　Ｄｉｓｋ）記録再生機３０にも適用することが可能である。
【００６８】
このＤＶＤ記録再生機３０は、テレビジョン放送を受信して、その映像情報や音声情報等をＤＶＤに記録するとともに、ＤＶＤから映像情報や音声情報を読み出して外部に出力する機能を有している。
【００６９】
このＤＶＤ記録再生機３０は、薄型の箱状に形成された筐体３１の前面部３２に、ＤＶＤ装着部３３と、電源スイッチや各種のキーで構成された操作部３４とを配置している。
【００７０】
また、このＤＶＤ記録再生機３０は、操作部３４の操作情報を受けるだけでなく、ワイヤレスのリモートコントローラ３５からの操作情報も受けて、その動作を制御している。
【００７１】
図８は、このＤＶＤ記録再生機３０の信号処理系の詳細を示している。図８において、図２と同一部分には同一符号を付して示している。
【００７２】
すなわち、上記ＰＩＦ復調部１９から出力された映像信号は、記録再生部３６とセレクタ３７の一方の入力端とに供給されている。また、上記ＳＩＦ復調部２２から出力された音声信号は、記録再生部３６とセレクタ３８の一方の入力端とに供給されている。
【００７３】
この記録再生部３６は、入力された映像信号及び音声信号を、ＤＶＤ３６ａ及び内蔵されたハードディスク３６ｂの両方または一方に選択的に記録する機能を有する。
【００７４】
また、この記録再生部３６は、ＤＶＤ３６ａ及びハードディスク３６ｂのいずれか一方から、そこに記録されている映像信号及び音声信号を読み取って、セレクタ３７，３８の他方の入力端にそれぞれ出力することが可能である。
【００７５】
さらに、この記録再生部３６は、ＤＶＤ３６ａから映像信号及び音声信号を読み取ってハードディスク３６ｂに記録したり、ハードディスク３６ｂから映像信号及び音声信号を読み取ってＤＶＤ３６ａに記録することが可能である。
【００７６】
ここで、セレクタ３７は、ＰＩＦ復調部１９から出力された映像信号と、記録再生部３６から出力された映像信号とを、選択的に外部出力端子３９に導くように機能する。
【００７７】
また、セレクタ３８は、ＳＩＦ復調部２２から出力された音声信号と、記録再生部３６から出力された音声信号とを、選択的に外部出力端子４０に導くように機能している。
【００７８】
ただし、図８において、記録再生部３６としては、ＤＶＤ３６ａ及びハードディスク３６ｂの両方に対して記録再生を行なう機能を有するものに限らず、例えば、ＤＶＤ３６ａ及びハードディスク３６ｂのいずれか一方に対して記録再生を行なう機能を有するものであっても良いものである。また、記録媒体としても、ＤＶＤやハードディスクに限らず、情報記録媒体として一般的に普及しているものを使用可能である。
【００７９】
なお、この発明は上記した実施の形態に限定されるものではなく、この外その要旨を逸脱しない範囲で種々変形して実施することができる。
【００８０】
【発明の効果】
以上詳述したようにこの発明によれば、例えば負変調及び正変調の放送方式について、それぞれ放送チャンネルを自動的に検索してプリセットする際に、放送チャンネルの検索に要する時間を短縮することを可能とした放送受信装置及び放送受信方法を提供することができる。
【図面の簡単な説明】
【図１】この発明の実施の形態を示すもので、テレビジョン放送受信機を説明するために示す外観図。
【図２】同実施の形態におけるテレビジョン放送受信機の信号処理系を説明するために示すブロック構成図。
【図３】同実施の形態におけるテレビジョン放送受信機のオートチャンネルプリセット動作を説明するために示すフローチャート。
【図４】同実施の形態におけるテレビジョン放送受信機のオートチャンネルプリセット動作を説明するために示すフローチャート。
【図５】同実施の形態におけるテレビジョン放送受信機のオートチャンネルプリセット動作の特徴点を簡便に説明するために示す図。
【図６】同実施の形態におけるテレビジョン放送受信機の他のオートチャンネルプリセット動作を説明するために示すフローチャート。
【図７】この発明の他の実施の形態を示すもので、ＤＶＤ記録再生機を説明するために示す外観図。
【図８】同他の実施の形態におけるＤＶＤ記録再生機の信号処理系を説明するために示すブロック構成図。
【符号の説明】
１１…テレビジョン放送受信機、
１２…筐体、
１３…前面部、
１４…映像表示画面、
１５…操作部、
１６…リモートコントローラ、
１７…アンテナ、
１８…チューナ部、
１９…ＰＩＦ復調部、
２０…映像処理部、
２１…ＣＲＴ部、
２２…ＳＩＦ復調部、
２３…音声処理部、
２４…スピーカ部、
２５…ＣＰＵ、
２６…受信部、
２７…ＲＯＭ、
２８…ＲＡＭ、
２９…同期検出部、
３０…ＤＶＤ記録再生機、
３１…筐体、
３２…前面部、
３３…ＤＶＤ装着部、
３４…操作部、
３５…リモートコントローラ、
３６…記録再生部、
３７…セレクタ、
３８…セレクタ、
３９…外部出力端子、
４０…外部出力端子。
【図１】
2004104592.tif 000003
【図２】
2004104592.tif 000004
【図３】
2004104592.tif 000005
【図４】
2004104592.tif 000006
【図５】
2004104592.tif 000007
【図６】
2004104592.tif 000008
【図７】
2004104592.tif 000009
【図８】
2004104592.tif 000010
【手続補正書】
【提出日】平成15年2月28日(2003.2.28)
【手続補正１】
【補正対象書類名】明細書
【補正対象項目名】特許請求の範囲
【補正方法】変更
【補正の内容】
【特許請求の範囲】
【請求項１】
受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のプリセット手段と、
受信チャンネルを段階的に順次可変し、各受信チャンネル毎にそれぞれ第２の変調方式で変調処理された放送信号を検出し、該第２の変調方式で変調処理された放送信号が検出された受信チャンネルを登録するもので、前記第１のプリセット手段で登録された受信チャンネルと重複する受信チャンネルについては、放送信号の検出動作をスキップさせるように制御する第２のプリセット手段とを具備してなることを特徴とする放送受信装置。
【請求項２】
受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のプリセット手段と、
受信チャンネルを段階的に順次可変し、各受信チャンネル毎にそれぞれ第２の変調方式で変調処理された放送信号を検出し、該第２の変調方式で変調処理された放送信号が検出された受信チャンネルを登録する第２のプリセット手段と、
前記第１及び第２のプリセット手段のうち、後から実行される方のプリセット手段に対して、先に実行された方のプリセット手段で登録された受信チャンネルと重複する受信チャンネルについては、放送信号の検出動作をスキップさせるように制御する制御手段とを具備してなることを特徴とする放送受信装置。
【請求項３】
前記制御手段は、後から実行される方のプリセット手段で現在受信している受信チャンネルが、先に実行された方のプリセット手段で既に登録された受信チャンネルと重複する場合、その受信チャンネルについては放送信号の検出動作をスキップさせ、次の受信チャンネルに移行することを特徴とする請求項２記載の放送受信装置。
【請求項４】
前記制御手段は、
後から実行される方のプリセット手段で現在受信している受信チャンネルが、先に実行された方のプリセット手段で既に登録された受信チャンネルと重複することを検出する検出手段と、
この検出手段で検出された受信チャンネルについては、放送信号の検出動作をスキップさせ、次の受信チャンネルに移行させるチャンネル制御手段とを具備してなることを特徴とする請求項２記載の放送受信装置。
【請求項５】
前記第１のプリセット手段は、受信された放送信号に前記第１の変調方式に対応した復調処理を施した信号と、この復調された信号に含まれる同期信号とに基づいて、受信された放送信号が前記第１の変調方式で変調処理された放送信号であるか否かを判別し、
前記第２のプリセット手段は、受信された放送信号に前記第２の変調方式に対応した復調処理を施した信号と、この復調された信号に含まれる同期信号とに基づいて、受信された放送信号が前記第２の変調方式で変調処理された放送信号であるか否かを判別することを特徴とする請求項２記載の放送受信装置。
【請求項６】
前記第１のプリセット手段は、
受信された放送信号に前記第１の変調方式に対応した復調処理を施す第１の復調手段と、
この第１の復調手段で復調処理された信号から同期信号を検出する第１の同期検出手段と、
この第１の同期検出手段の検出結果と、前記第１の復調手段で復調処理された信号とに基づいて、受信された放送信号が前記第１の変調方式で変調処理された放送信号であるか否かを判別する第１の判別手段とを具備し、
前記第２のプリセット手段は、
受信された放送信号に前記第２の変調方式に対応した復調処理を施す第２の復調手段と、
この第２の復調手段で復調処理された信号から同期信号を検出する第２の同期検出手段と、
この第２の同期検出手段の検出結果と、前記第２の復調手段で復調処理された信号とに基づいて、受信された放送信号が前記第２の変調方式で変調処理された放送信号であるか否かを判別する第２の判別手段とを具備してなることを特徴とする請求項２記載の放送受信装置。
【請求項７】
所定の受信チャンネルで受信した放送信号に含まれる情報に対応した信号を記録する記録手段を具備してなることを特徴とする請求項２記載の放送受信装置。
【請求項８】
受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のプリセット手段と、
受信チャンネルを段階的に順次可変し、各受信チャンネル毎にそれぞれ第２の変調方式で変調処理された放送信号を検出し、該第２の変調方式で変調処理された放送信号が検出された受信チャンネルを登録する第２のプリセット手段と、
前記第１及び第２のプリセット手段のうち、後から実行される方のプリセット手段に対して、先に実行された方のプリセット手段で登録された受信チャンネルと重複する受信チャンネルについては、放送信号の検出動作をスキップさせるように制御する制御手段と、
前記第１及び第２のプリセット手段のうち、いずれを先に実行させるかを設定する操作手段とを具備してなることを特徴とする放送受信装置。
【請求項９】
前記操作手段は、地域を選択する形態で設けられることを特徴とする請求項８記載の放送受信装置。
【請求項１０】
前記操作手段は、変調方式を選択する形態で設けられることを特徴とする請求項８記載の放送受信装置。
【請求項１１】
受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のプリセット手段と、
受信チャンネルを段階的に順次可変し、各受信チャンネル毎にそれぞれ第２の変調方式で変調処理された放送信号を検出し、該第２の変調方式で変調処理された放送信号が検出された受信チャンネルを登録する第２のプリセット手段と、
前記第１及び第２のプリセット手段のうち、後から実行される方のプリセット手段に対して、先に実行された方のプリセット手段で登録された受信チャンネルと重複する受信チャンネルについては、放送信号の検出動作をスキップさせるように制御する制御手段と、
全ての放送信号が同一変調方式で変調処理されている周波数帯域が存在する場合に、前記第１及び第２のプリセット手段のうち、その変調方式に対応しない放送信号を検出する方のプリセット手段に対して、前記周波数帯域を飛び越すように受信チャンネルを制御するチャンネル制御手段とを具備してなることを特徴とする放送受信装置。
【請求項１２】
前記全ての放送信号が同一変調方式で変調処理されている周波数帯域は、ケーブル放送の周波数帯域であることを特徴とする請求項１１記載の放送受信装置。
【請求項１３】
受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のステップと、
この第１のステップの後、受信チャンネルを段階的に順次可変し、各受信チャンネル毎にそれぞれ第２の変調方式で変調処理された放送信号を検出し、該第２の変調方式で変調処理された放送信号が検出された受信チャンネルを登録するもので、前記第１のステップで登録された受信チャンネルと重複する受信チャンネルについては、放送信号の検出動作をスキップさせるように制御する第２のステップとを有することを特徴とする放送受信方法。
【請求項１４】
前記第２のステップは、
現在受信している受信チャンネルが、前記第１のステップで既に登録された受信チャンネルと重複することを検出する検出ステップと、
この検出ステップで検出された受信チャンネルについては、放送信号の検出動作をスキップさせ、次の受信チャンネルに移行させるチャンネル制御ステップとを有することを特徴とする請求項１３記載の放送受信方法。
【請求項１５】
前記第１のステップは、
受信された放送信号に前記第１の変調方式に対応した復調処理を施す第１の復調ステップと、
この第１の復調ステップで復調処理された信号から同期信号を検出する第１の同期検出ステップと、
この第１の同期検出ステップの検出結果と、前記第１の復調ステップで復調処理された信号とに基づいて、受信された放送信号が前記第１の変調方式で変調処理された放送信号であるか否かを判別する第１の判別ステップとを有し、
前記第２のステップは、
受信された放送信号に前記第２の変調方式に対応した復調処理を施す第２の復調ステップと、
この第２の復調ステップで復調処理された信号から同期信号を検出する第２の同期検出ステップと、
この第２の同期検出ステップの検出結果と、前記第２の復調ステップで復調処理された信号とに基づいて、受信された放送信号が前記第２の変調方式で変調処理された放送信号であるか否かを判別する第２の判別ステップとを有することを特徴とする請求項１３記載の放送受信方法。
【請求項１６】
所定の受信チャンネルで受信した放送信号に含まれる情報に対応した信号を記録する記録ステップを有することを特徴とする請求項１３記載の放送受信方法。
【手続補正２】
【補正対象書類名】明細書
【補正対象項目名】００１６
【補正方法】変更
【補正の内容】
【００１６】
【課題を解決するための手段】
この発明に係る放送受信装置は、受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のプリセット手段と、
受信チャンネルを段階的に順次可変し、各受信チャンネル毎にそれぞれ第２の変調方式で変調処理された放送信号を検出し、該第２の変調方式で変調処理された放送信号が検出された受信チャンネルを登録するもので、第１のプリセット手段で登録された受信チャンネルと重複する受信チャンネルについては、放送信号の検出動作をスキップさせるように制御する第２のプリセット手段とを備えている。


【手続補正３】
【補正対象書類名】明細書
【補正対象項目名】００１７
【補正方法】変更
【補正の内容】
【００１７】
この発明に係る放送受信方法は、受信チャンネルを段階的に順次可変し、各受信チャンネル毎にそれぞれ第１の変調方式で変調処理された放送信号を検出し、該第１の変調方式で変調処理された放送信号が検出された受信チャンネルを登録する第１のステップと、
この第１のステップの後、受信チャンネルを段階的に順次可変し、各受信チャンネル毎にそれぞれ第２の変調方式で変調処理された放送信号を検出し、該第２の変調方式で変調処理された放送信号が検出された受信チャンネルを登録するもので、第１のステップで登録された受信チャンネルと重複する受信チャンネルについては、放送信号の検出動作をスキップさせるように制御する第２のステップとを有している。


【手続補正４】
【補正対象書類名】明細書
【補正対象項目名】００１８
【補正方法】変更
【補正の内容】
【００１８】
上記のような構成及び方法によれば、各受信チャンネル毎にそれぞれ第１の変調方式で変調処理された放送信号を検出して登録した後、各受信チャンネル毎にそれぞれ第２の変調方式で変調処理された放送信号を検出して登録する際に、既に登録された受信チャンネルと重複する受信チャンネルについては、放送信号の検出動作をスキップさせるようにしたので、例えば負変調及び正変調の放送方式について、それぞれ放送チャンネルを自動的に検索してプリセットする際に、放送チャンネルの検索に要する時間を短縮することを可能とすることができる。


【手続補正５】
【補正対象書類名】明細書
【補正対象項目名】００５１
【補正方法】変更
【補正の内容】
【００５１】
すると、周波数帯域Ａでは、放送チャンネルＡ１，Ａ２，……，Ａｎの存在する受信チャンネルＣＨが既にプリセットされている。このため、放送チャンネルＡ１，Ａ２，……，Ａｎの存在する受信チャンネルＣＨと重複する受信チャンネルＣＨにおいては、ＡＦＴ信号と同期検出信号との検出動作を行なわない。すなわち、検出動作をスキップさせ、無条件に次の受信チャンネルＣＨに移行することになる。


【手続補正６】
【補正対象書類名】明細書
【補正対象項目名】００５３
【補正方法】変更
【補正の内容】
【００５３】
上記した実施の形態によれば、正変調処理が施されたテレビジョン信号を復調するモードで、既にプリセットが完了された放送チャンネルＡ１，Ａ２，……，Ａｎと重複する受信チャンネルＣＨについては、負変調処理が施されたテレビジョン信号を復調するモードにおいて、ＡＦＴ信号と同期検出信号との検出動作を行なわない、つまり、テレビジョン信号を正しく再生することができるか否かの判別動作を行なわない。すなわち、検出動作をスキップさせるようにしている。


【手続補正７】
【補正対象書類名】明細書
【補正対象項目名】００５４
【補正方法】変更
【補正の内容】
【００５４】
すなわち、正変調処理が施されたテレビジョン信号を復調するモードで、既にプリセットが完了している放送チャンネルＡ１，Ａ２，……，Ａｎと重複する受信チャンネルＣＨについては、負変調処理が施されたテレビジョン信号を復調するモードでは、ＡＦＴ信号を検出し、同期信号の引き込み動作を行ない、同期信号が得られるか否かを判別するという一連の検出動作を行なわない。すなわち、検出動作をスキップさせるようにしているので、その分、放送チャンネルの検索に要する時間を短縮することが可能となる。